(57)【要約】      （修正有）【課題】雨に濡れた傘を入れる傘袋、その他の袋を収納するのに便利で、常時携帯して必要に応じて袋を取り出すのに適している携帯用袋収納容器を提供する。【解決手段】可撓性材料で構成され、物品（傘その他の物品）を入れる袋を（１枚または複数枚）取出し可能に収納している袋収納容器３であって、広告情報１１、１２を表示する部分を設けている。【選択図】図３
0003191546.tif 000002
【実用新案登録請求の範囲】
【請求項１】
可撓性材料で構成され、物品を入れる袋を取り出し可能に収納している袋状の携帯用収納容器であって、広告情報を表示する部分を設けていることを特徴とする携帯用袋収納容器。
【考案の詳細な説明】
【技術分野】
【０００１】
本考案は、雨に濡れた傘を入れる傘袋や携帯用のゴミ袋等の袋収納容器をコンパクトに且つ容易に収納することができて、宣伝効果を有する携帯用の袋収納容器に関する。
【背景技術】
【０００２】
雨の日には、電車等の交通機関や、劇場、ショッピングセンター等の建物の中で、濡れた傘から滴り落ちる水滴で床面が濡れてしまい、床面が滑りやすく危険な状態になるという不都合がある。また、濡れた傘により自分や周囲の人々の衣服が濡れてしまうという不都合もある。係る不都合を防止するため、ポリエチレン等の薄手の合成樹脂製の傘袋を用意して、濡れた傘を収容することが行われている。
従来は、その様な傘袋は、劇場や店舗等の入り口付近に多数まとめて吊り下げて設置されており、或いは、連続的して回転ロールに巻き付けられた状態で設置され、利用者が傘袋を１枚ずつ切り離して傘を収容していた。
【０００３】
しかし、あらかじめ店舗等に傘袋が用意されていない場合には、利用者は濡れた傘を建造物内で持ち歩かなければならず、上述した様な不都合が発生してしまう。
また、傘袋はいわゆる「使い捨て」のタイプがほとんどであり、一旦使用された後に直ちに廃棄されてしまうことが多く、再利用されることはない。そのため、傘袋を利用してから再び雨中で傘を使用し、その後、交通機関を利用する場合や、傘袋が用意されていない他の建造物内に入る際には、傘袋がないので、上述した不都合が生じてしまう。
もちろん、「使い捨て」に相当しない傘用の袋物も存在するが、その様な袋物は高価であり、且つ、サイズが大きいものが大部分であるため、常時携帯するには不適当である。
【０００４】
さらに、旅行等の外出先で使用するゴミ袋として、例えば、観光バスの車室内等にポリエチレン製の小さなゴミ袋が設置されており、それを１枚ずつとって利用している。
ここで、いわゆる「ゴミのポイ捨て」を防止し、街を美化し、自然環境を保護するためには、観光バスの車内専用ゴミ袋では量と大きさの点で不充分である。そのため、安価で気軽に入手でき、使い易く、また常時携帯して必要に応じて複数回に亘る使用が可能で、しかも傘を収容する以外の用途（例えば、ゴミ袋としての利用）を有するものが望まれていた。
しかし、従来技術においては、そのようなものは提案されていない。
【０００５】
その他の従来技術として、長期間に亘る使用を前提とした折り畳み可能な傘袋が提案されている（特許文献１参照）。
しかし、係る従来技術（特許文献１）の傘袋では、構成する素材の厚さ寸法が大きいため、折り畳み後のサイズが大きくなるという問題を有している。また、傘専用の袋であるため、その他の用途（例えば、ゴミ袋等）への転用が困難であるという問題を有している。
【先行技術文献】
【特許文献】
【０００６】
【特許文献１】特開２０１２−０２４２０８号公報
【考案の概要】
【考案が解決しようとする課題】
【０００７】
本考案は上述した従来技術の問題点に鑑みて提案されたものであり、雨に濡れた傘を入れる傘袋、その他の袋を収納するのに便利で、常時携帯して必要に応じて袋を取り出すのに適している袋収納容器の提供を目的としている。
また、本考案は、企業や商店の製品の販売促進用として、当該袋収納容器に企業や商店の製品の広告情報を付した袋収納容器の提供を目的としている。
【課題を解決するための手段】
【０００８】
本考案の携帯用収納容器は、可撓性材料で構成され、物品（傘その他の物品）を入れる袋（１）を（１枚または複数枚）取り出し可能に収納している袋状の携帯用収納容器（３、４）であって、（袋収納容器３、４には）広告情報（１１、１２、１３）を表示する部分を設けていることを特徴としている。
【考案の効果】
【０００９】
本考案の袋収納容器（３、４）によれば、可撓性材料で構成されているので、形状に関して限定されることは無く、また、自由に変形することができるので、携帯し易い。そのため、従来の傘専用の袋等に比較して、利用者が持ち歩き易いというメリットを有している。
また本考案の袋収納容器（３、４）は、物品（傘その他の物品）を入れる袋（１）を（例えば複数枚）取出し可能に収納してあるので、利用者はポケットやバッグに入れて常時携帯することができる。そのため、利用者が必要とする時に当該袋収納容器（３、４）から傘袋等の袋（１）を取出して（引き出して）、傘を収容する等に用いることができる。
そのため、例えば傘袋の袋収納容器として用いれば、傘を傘袋に収容することにより、電車、エレベータ内等、混雑していても、傘に付着した水滴を確実に遮断できるので、周囲の人に迷惑をかけることなく、安心できる。
【００１０】
また、本考案の袋収納容器（３、４）は、携帯用のゴミ袋やその他の袋収納容器の袋収納容器としても活用できる。そのため、傘を収容する傘袋のみならず、ゴミ袋等を収容することもできる。
さらに、袋収納容器（３、４）には、企業や商店の製品の広告情報（１１、１２、１３）を表示する部分を有しているので、販売促進用品としても効果的に用いることができる。
【図面の簡単な説明】
【００１１】
【図１】本考案の袋収納容器に収容される傘袋の平面図である。
【図２】図１の傘袋が折り畳まれる状態を説明する図である。
【図３】本考案の袋収納容器の第１実施形態を説明する斜視図である。
【図４】本考案の袋収納容器の第２実施形態を示す斜視図である。
【考案を実施するための形態】
【００１２】
以下、添付図面を参照して、本考案の実施形態について説明する。
最初に図１〜図３を参照にして、本考案の第１実施形態について説明する。
図１において、本考案の袋収納容器に収納される傘袋は、全体を符号１で示している。この傘袋は、ポリエチレン、ポリプロピレン、その他の合成樹脂製フィルム等、薄手の防水性の素材を使用した細い筒状体２から作成される。
この筒状体２は、閉じた傘の把手以外の部分を差し入れて収納できる程度に全長が設定されている。そして筒状体２の一端部２ａを熱溶着により封止して底部とせしめ、他端部２ｂを開放して、傘袋１としている。
【００１３】
一端部２ａは、熱溶着等で全部封止されているが、一部に孔を設けた状態で一端部２ａを封止して、当該孔を雨水抜きとすることも可能である。
長傘用に対応する傘袋、それより短い折畳み傘用に対応する傘袋をそれぞれ専用に用意することも可能である。或いは、長傘用の傘袋を１種類だけ用意して、短い傘や折畳み傘を収容する場合には、１種類だけ用意した長傘用の傘袋を折曲げることにより、或いは、一部を縛ることにより、兼用することも可能である。
【００１４】
図１において、符号１０は、傘袋１に付された広告情報を示す。広告情報１０は、企業や商店、及びその製品に関する情報で構成される。
後述するように、傘袋１を収納する袋収納容器３、４（後述）に広告情報を表示して広告媒体としての機能を発揮することができるが、傘袋１にも広告情報を付すことで、さらなる宣伝広告機能が発揮できる。
【００１５】
傘袋１が折り畳まれる状態が図２で示されている。図２において、細長い筒状体からなる傘袋１は、これを扁平にして、図２（１）で示す点線１ａの位置で折曲げられて、図２（２）で示すように、全体の寸法が小さくなる様に畳まれる。
後述するように、図２（２）で示すように小さく畳まれた傘袋は、２〜５枚ずつ重ねて、袋収納容器３、４に収納される。
【００１６】
袋収納容器３を図３で示す。
図３において、袋収納容器３は全体が袋状に形成されており、可撓性材料であるポリエチレン等の合成樹脂製フィルムから構成されている。上述した通り、袋収納容器３には、図２（２）で示すように折り畳まれた傘袋１が、２〜５枚程度重ねて収納されている。
袋収納容器３（図３）の製造に際しては、袋収納容器３の素材となる帯状の合成樹脂製フィルムを、所定の長さ（折り畳んだ傘袋１を２〜５枚程度を重ねたものに１周以上巻き付けることができる長さ）に切断し、扁平にして、両端部３ａ及び３ｂを熱溶着して封止する。
【００１７】
図３の袋収納容器３において、熱溶着した両端部３ａ及び３ｂと直交する方向に延在する開口が設けられ、当該開口はミシン目５に沿って形成される。ミシン目５によれば、内部から傘袋１を取り出す以前の段階では開放せずに封鎖されている状態を保持する（仮封止する）ことが可能である。
内部から傘袋１を取り出す場合には、ミシン目５を両端部３ａ及び３ｂと直交する方向に破断して、開口を形成する。内部から傘袋１を取り出し易くするため、ミシン目５は、図３では袋収納容器３の上面中央部に形成されている。ただし、、その他適宜の位置に形成しても良い。
【００１８】
袋収納容器３には、折り畳まれた傘袋１（図２（２）参照）が２〜５枚程度重ねて収容されている。
袋収納容器３から傘袋１を取り出す際には、ミシン目５を破断して切り離し、開口を形成し、当該開口から最上位の傘袋から１枚ずつ取り出す。
傘袋を重ねて収容する際には、各傘袋１の端部が互い違いに重ねられるようにせしめて袋収納容器３に封入する。これにより、収納容器３から傘袋１を１枚引き出すと、自動的に次の傘袋１が、袋収納容器３から引き出し易い位置になる。
傘袋１の端部が互い違いに重ねられるようにせず、単に積み重ねた状態で袋収納容器３内に収容することも可能である。
【００１９】
図３において、符号１１、１２は、袋収納容器３に付された広告情報であり、企業や商店、及びその製品の広告である。
広告情報１１、１２は、袋収納容器３の適宜位置に直接印刷することができる。なお、袋収納容器３が透明な素材によって構成されている場合には、袋収納容器３には広告情報を直接印刷せず、広告情報を表示した紙片を袋収納容器３内に挿入しても良い。
【００２０】
図１〜図３を参照して説明した第１実施形態では、袋収納容器３には１枚または複数枚の傘袋１を引き出し可能に収納しているので、濡れた傘を傘袋１に入れたい時には、袋収納容器３の上面に形成されたミシン目５を指で切り離して開口部を作ることにより、袋収納容器３から傘袋１を簡単に１枚ずつ引き出すことができる。
また、袋収納容器３は、傘袋１を収納してもコンパクトであり、利用者はそれをポケットやバッグ等に入れて常時携帯することが容易である。
【００２１】
さらに、袋収納容器３の適当な位置には、企業や商店、製品の広告情報が表示されているため、広告媒体としても有効である。そのため、販売促進用の用品としても広く効果的に活用することができる。袋収納容器３に広告文等を直接印刷せずに、広告文を印刷した紙片を台紙として袋収納容器３の内側に入れておいても、同様の効果が期待できる。
袋収納容器３に加えて、傘袋１にも広告情報を付すことができるので、さらなる宣伝効果が期待できる。
【００２２】
図示はされていないが、傘袋１に落下防止用の帯を設け、濡れ傘を入れて使用する際にその帯を傘本体の把手や骨の部分に引っ掛ける様に構成することも可能である。
そのように構成すれば、雨の滴が傘袋１の内部の溜ってしまっても、その重量により傘袋１が傘本体から落下してしまうことが防止される。
【００２３】
図１〜図３の第１実施形態では袋収納容器３に傘袋１が収容されているが、その他の物品を入れる袋（例えば、ゴミ袋）を袋収納容器３に収納することができる。
ゴミ袋を袋収納容器３に収納する場合も、傘袋１と同様に、１枚または複数枚のゴミ袋を引き出し可能に収納することができるので、必要な際にはゴミ袋を１枚ずつ引き出して利用できる。そして袋収納容器３は非常にコンパクトであるので、これを常時携帯して、必要に応じていつでも気軽にゴミ袋を利用することができ、身の回りの美化や、社会環境の向上に資することができる。
ゴミ袋を袋収納容器３に収納する場合も、広告媒体としての効果を発揮することができる。
ゴミ袋のみならず、携帯用のエチケット袋、パンその他の食品を入れるための袋も、袋収納容器３に袋収することが可能である。その場合にも、上述した作用効果が期待できる。
【００２４】
次に図４を参照にして、本考案の第２実施形態について説明する。
図４において、図４（１）は平面図であり、図４（２）は図４（１）のＡ−Ａ線断面を示している。
第２実施形態に係る袋収納容器４も、ポリエチレン等の合成樹脂製フィルムから構成されている。袋収納容器４内には、小さく折り畳まれた傘袋１が、図４（２）のように２〜５枚程度重ねられて収納される。
【００２５】
袋収納容器４の製造過程は第１実施形態と同様であり、素材となる帯状の合成樹脂製フィルムを所定長さ（折り畳んだ傘袋１を２〜５枚程度を重ねたものに１周以上巻きつける長さ）にして扁平にした上、両端部４ａ及び４ｂを熱溶着して封止する。ここで、素材を折り畳んだ傘袋１を２〜５枚程度を重ねたものに１周以上巻きつける際に、素材の始端４ｃと終端４ｄの重なり部６の長さＬ（図４（２）参照）は１ｃｍ程度である。
重なり部６には、熱溶着されておらず封止されていない隙間７が存在する。袋収納容器４から傘袋１を引き出す際は、隙間７が開口になり、ここから傘袋１を引き出すことができる。
始端４ｃと終端４ｄの重なり部６の隙間７を開口部とすることで、第１実施形態のようなミシン目５をわざわざ形成する必要はなくなり、より安価に製造することができる。なお、前記重なり部６の長さについては、袋収納容器４内の傘袋１が１枚ずつ引き出すのに都合の良い長さに設定する。
【００２６】
図４において、符号１３は、袋収納容器４に付された広告情報であり、企業や商店、及びその製品の広告である。第１実施形態と同様に、広告情報１３は、袋収納容器３の適宜位置に直接印刷するか、広告文等を印刷した紙片を台紙として、例えば重なり部６（開口部）のない側の内側に入れておくことができる。
図４の第２実施形態におけるその他の構成及び作用効果は、図１〜図３の第１実施形態と同様である。
【符号の説明】
【００２７】
１・・・傘袋１（袋収納容器）
２・・・筒状体
２ａ・・・一端部
２ｂ・・・他端部
３、４・・・袋収納容器
３ａ、３ｂ、４ａ、４ｂ・・・両端部
４ｃ・・・始端
４ｄ・・・終端
５・・・ミシン目
６・・・重なり部
７・・・隙間
８・・・ゴミ袋
８ａ・・・開口
８ｂ、８ｃ・・・ミシン目
８ｄ、８ｅ・・・短冊部分
１０、１１、１２、１３、１４・・・広告情報
【図１】
0003191546.tif 000003
【図２】
0003191546.tif 000004
【図３】
0003191546.tif 000005
【図４】
0003191546.tif 000006